(57)【特許請求の範囲】
【請求項１】
洗濯槽の底面より該洗濯槽内に突出し駆動モータの駆動力を受けて回転する駆動軸と、該駆動軸に中央部で固着された主動パルセータと、この主動パルセータ上に該主動パルセータと同軸で回転できるように支持された従動パルセータとからなり、上記主動パルセータと従動パルセータの間に上記洗濯槽内に投入される洗濯物の重量に応じた洗濯負荷荷重の大小によって上記従動パルセータへの主動パルセータの回転の伝達を制御する手段を設けた事を特徴とする電気洗濯機のパルセータ装置。
【請求項２】
上記従動パルセータの直径を主動パルセータの１／４乃至１／２に設定した事を特徴とする請求項１に記載された電気洗濯機のパルセータ装置。
【請求項３】
上記主動パルセータの羽根と従動パルセータの羽根の間の形状を略Ｖ字型にした事を特徴とする請求項１に記載された電気洗濯機のパルセータ装置。
【請求項４】
洗濯槽の底面より該洗濯槽内に突出し駆動モータの駆動力を受けて回転する駆動軸と、該駆動軸に中央部の嵌合部で固着された主動パルセータと、この主動パルセータ上に該主動パルセータと同軸回転でき、かつ上下動できるように支持された水より比重の小さな材料からなる従動パルセータと、該従動パルセータが下降した位置にあるとき上記主動パルセータの回転を従動パルセータに伝達する回転伝達手段とからなり、上記従動パルセータは上記洗濯槽内に投入される洗濯物の重量に応じた洗濯負荷荷重の大小によって上下動し、洗濯負荷荷重が大きくて下降した位置にあるとき上記回転伝達手段を介して主動パルセータの回転力を受け該主動パルセータとともに回転するように構成した事を特徴とする電気洗濯機のパルセータ装置。
【請求項５】
洗濯槽の底面より該洗濯槽内に突出し駆動モータの駆動力を受けて回転する駆動軸と、該駆動軸に中央部の嵌合部で固着された主動パルセータと、この主動パルセータ上に該主動パルセータと同軸回転でき、かつ上下動できるように支持された従動パルセータと、該従動パルセータが下降した位置にあるとき上記主動パルセータの回転を従動パルセータに伝達する回転伝達手段とからなり、上記従動パルセータは空気を溜める空間を備えて上記洗濯槽内に投入される洗濯物の重量に応じた洗濯負荷荷重の大小によって上下動し、洗濯負荷荷重が大きくて下降した位置にあるとき上記回転伝達手段を介して主動パルセータの回転力を受け該主動パルセータとともに回転するように構成した事を特徴とする電気洗濯機のパルセータ装置。
【発明の詳細な説明】
【０００１】
【発明の属する技術分野】
本発明は電気洗濯機のパルセータ装置に関するものである。
【０００２】
【従来の技術】
従来の電気洗濯機のパルセータ装置は、図６に示すように洗濯槽３１の底面中央に設けらた軸受ホルダー３２より駆動軸３３を洗濯槽３１内に突出させ、この駆動軸３３の上端に固定ネジ３４でパルセータ３４を螺着した構造となっている。尚、上記軸受ホルダー３２は内部に駆動モータ（図示せず）に結合した減速機構を内蔵しており、駆動モータの駆動力を減速機構を介して上記駆動軸３３に伝えパルセータ３４を回転させる構成となっている。
【０００３】
【発明が解決しようとする課題】
上記構造の電気洗濯機のパルセータ装置では、洗濯物の種類や量に応じて切替スイッチの操作で水流の強、中及び弱を選択して洗濯やすすぎを行っている。この水流の調整は、上記切替スイッチの操作で駆動モータへの通電及び遮断時間を制御することにより行われている。しかし乍ら、特に最近の電気洗濯機では、衣類の傷みを軽減するために、強水流であっても極短時間の通電、遮断を繰り返す、いわゆる短時間反転チャートが主流となっており、しかも強水流と弱水流の反転チャート間で時間制御に大差がないため、洗濯物の種類や量に適した水流を得ることできないとの問題点を有していた。
【０００４】
【課題を解決するための手段】
本発明は上記従来の電気洗濯機のパルセータ装置の問題点を解決するために発明されたものであり、請求項１に記載された発明の電気洗濯機のパルセータ装置は、洗濯槽の底面より該洗濯槽内に突出し駆動モータの駆動力を受けて回転する駆動軸と、該駆動軸に中央部で固着された主動パルセータと、この主動パルセータ上に該主動パルセータと同軸で回転できるように支持された従動パルセータとからなり、上記主動パルセータと従動パルセータの間に上記洗濯槽内に投入される洗濯物の重量に応じた洗濯負荷荷重の大小によって上記従動パルセータへの主動パルセータの回転の伝達を制御する回転伝達手段を設けた事を特徴としている。
【０００５】
以上の構成によれば、洗濯物の量が多ければ、回転伝達手段の作用により主動パルセータの回転力が従動パルセータに伝達されて該従動パルセータを主動パルセータとともに回転させて強い水流を作り出し洗濯物を強い力で洗濯する。又洗濯物の量が少なければ、回転伝達手段の作用により従動パルセータへの主動パルセータの回転力の伝達を解除して該主動パルセータのみを回転させ、弱い水流を作り出して洗濯物を弱い力で洗濯する。
【０００６】
更に、従来の電気洗濯機のパルセータ装置で実行されていたパルセータの回転力の制御との組み合わせによって、より多くの強弱の水流を作り出すことができる。その結果、洗濯物の種類や量に適した強弱の水流を得ることができるパルセータ装置を提供することができる。
【０００７】
又、請求項２に記載された発明の電気洗濯機のパルセータ装置は、請求項１に記載された電気洗濯機のパルセータ装置において、上記従動パルセータの直径を主動パルセータの１／４乃至１／２に設定した事を特徴としている。以上の構成によれば、従動パルセータの直径を主動パルセータの１／４乃至１／２にしたことから、主動パルセータの単独回転と従動パルセータとの共同回転により、洗濯物の量に応じた水流を作り出すことができる。その結果、洗濯物の種類や量に適した強弱の水流を得ることができるパルセータ装置を提供することができる。
【０００８】
又、請求項３に記載された発明の電気洗濯機のパルセータ装置は、請求項１に記載された電気洗濯機のパルセータ装置において、主動パルセータの羽根と従動パルセータの羽根の間の形状を略Ｖ字型にした事を特徴としている。以上の構成によれば、主動パルセータの羽根と従動パルセータの羽根の間に洗濯物が詰まることはない。その結果、洗濯物を傷めることのない電気洗濯機のパルセータ装置を提供することができる。
【０００９】
請求項４に記載された発明の電気洗濯機のパルセータ装置は、洗濯槽の底面より該洗濯槽内に突出し駆動モータの駆動力を受けて回転する駆動軸と、該駆動軸に中央部の嵌合部で固着された主動パルセータと、この主動パルセータ上に該主動パルセータと同軸回転でき、かつ上下動できるように支持された水より比重の小さな材料からなる従動パルセータと、該従動パルセータが下降した位置にあるとき上記主動パルセータの回転を従動パルセータに伝達する回転伝達手段とからなり、上記従動パルセータは上記洗濯槽内に投入される洗濯物の重量に応じた洗濯負荷荷重の大小によって上下動し、洗濯負荷荷重が大きくて下降した位置にあるとき上記回転伝達手段を介して主動パルセータの回転力を受け該主動パルセータとともに回転するように構成した事を特徴としている。
【００１０】
この構成によれば、洗濯物の量が多ければ、従動パルセータが自動的に下降した位置を取ることから、回転伝達手段の作用により主動パルセータの回転力が従動パルセータに伝達されて該従動パルセータを主動パルセータとともに回転させて強い水流を作り出し洗濯物を強い力で洗濯する。又洗濯物の量が少なければ、従動パルセータが自動的に上昇した位置を取ることから、回転伝達手段の作用により従動パルセータへの主動パルセータの回転力の伝達を解除して該主動パルセータのみを回転させ、弱い水流を作り出して洗濯物を弱い力で洗濯する。
【００１１】
更に、従来の電気洗濯機のパルセータ装置で実行されていたパルセータの回転力の制御との組み合わせによって、より多くの強弱の水流を作り出すことができる。その結果、洗濯物の種類や量に適した強弱の水流を得ることができるパルセータ装置を提供することができる。
【００１２】
又、請求項５に記載された発明の電気洗濯機のパルセータ装置は、洗濯槽の底面より該洗濯槽内に突出し駆動モータの駆動力を受けて回転する駆動軸と、該駆動軸に中央部の嵌合部で固着された主動パルセータと、この主動パルセータ上に該主動パルセータと同軸回転でき、かつ上下動できるように支持された従動パルセータと、該従動パルセータが下降した位置にあるとき上記主動パルセータの回転を従動パルセータに伝達する回転伝達手段とからなり、上記従動パルセータは空気を溜める空間を備えて上記洗濯槽内に投入される洗濯物の重量に応じた洗濯負荷荷重の大小によって上下動し、洗濯負荷荷重が大きくて下降した位置にあるとき上記回転伝達手段を介して主動パルセータの回転力を受け該主動パルセータとともに回転するように構成した事を特徴としている。
【００１３】
この構成によれば、洗濯物の量が多ければ、従動パルセータが空間ぬ溜められた空気に抗して自動的に下降した位置を取ることから、回転伝達手段の作用により主動パルセータの回転力が従動パルセータに伝達されて該従動パルセータを主動パルセータとともに回転させて強い水流を作り出し洗濯物を強い力で洗濯する。又洗濯物の量が少なければ、従動パルセータが空間の溜められた空気により自動的に上昇した位置を取ることから、回転伝達手段の作用により従動パルセータへの主動パルセータの回転力の伝達を解除して該主動パルセータのみを回転させ、弱い水流を作り出して洗濯物を弱い力で洗濯する。
【００１４】
更に、従来の電気洗濯機のパルセータ装置で実行されていたパルセータの回転力の制御との組み合わせによって、より多くの強弱の水流を作り出すことができる。その結果、洗濯物の種類や量に適した強弱の水流を得ることができるパルセータ装置を提供することができる。
【００１５】
【発明の実施の形態】
［構  成］
図１は本発明に係るパルセータ装置を備えた電気洗濯機における洗濯槽下部の断面図を示し、又図２はその平面図を示している。これらの図において、１は洗濯槽であり、底部下面に軸受ホルダー２を固着している。この軸受ホルダーは、洗濯槽１内に向けて突出した駆動軸３に内蔵の減速機構（図示せず）を介して駆動モータ（図示せず）の駆動力を伝え、回転させるようになっている。
【００１６】
４は主動パルセータであり、上記駆動軸３にスペーサ５を介して嵌合されるとともにネジ６で固定された中央部の円筒体より成る嵌合部４ａと、この嵌合部４ａより径の外方に延在して形成され中腹部に段部４ｃを有する円盤部４ｂと、この円盤部４ｂの上面の等間隔の位置に形成された４枚の羽根４ｄと、上記段部４ｃより径の内方における円盤部４ｂの上面に嵌合部４ａより放射状に形成され相互に等間隔に配置された４ケのリブ４ｅとから成っている。
【００１７】
そして、この主動パルセータ４は、更に、上記嵌合部４ａの上端部周縁に先端に抜止爪４ｇを有する複数個の係合子４ｆを突出形成している。７はポリプロピレン等の水よりも比重の軽い合成樹脂材料を射出成型することにより形成された従動パルセータであり、中腹に当接段部７ｂを形成するように下端部の小径部７ｃと上端部の大径部７ｄとからなる段付き円筒体より成り小径部７ｃを以て上記主動パルセータ４の係合子４ｄに回転及び上下動可能に嵌合された係合筒体７ａと、この係合筒体７ａの上端部より径の外方に向かって延在し漸次下り傾斜に形成された円盤部７ｅと、この円盤部７ｅの上面の等間隔の位置に形成された５つの羽根７ｆとから成っている。
【００１８】
そして、この従動パルセータ７は、その円盤部７ｅの周縁７ｇを上記主動パルセータ４の円盤部４ｂの中腹部に設けた段部４ｃ内に隙間を以て嵌められ、主動パルセータ４の上面において該主動パルセータと独立して回転できるようになっている。又、従動パルセータ７は係合筒体７の小径部７ｃを以て主動パルセータ４の係合子４ｄに沿って上下動可能に嵌合されているが、その上下動できる範囲は図３に示すように寸法ｈ１の間であり、下降した状態においては小径部７ｃの下端及び円盤部７ｅの周縁７ｇを上記主動パルセータ４のリブ４ｅに当接し、又上昇した状態においては当接段部７ｂを係合子４ｄの抜止爪４ｇに係合されて係合子４ｄからの脱却を阻止されている。
【００１９】
４ｈは段部４ｃより径の内方で段部４ｃ近くの円盤部４ｂ上に突設された回転ロック突起であり、上記従動パルセータ７の円盤部７ｅの下面に設けた回転ロックリブ７ｈとともに回転伝達手段を構成するものであり、回転ロックリブ７ｈに係合並びに係合解除することにより、主動パルセータ４のみ、或いは主動パルセータ４及び従動パルセータ７の両方が回転する構造となっている。
【００２０】
この回転ロック突起４ｈの回転ロックリブ７ｈに対する係合代ｈ２（図４に示す）は、従動パルセータ７の上下動する距離ｈ１より小さくなっており、従動パルセータ７が段部７ｂを抜止爪４ｇに係合させた上昇位置にあるとき回転ロックリブ７ｈが回転ロック突起４ｈに係合しないようになっている。従って、従動パルセータ７が水の浮力で浮き、段部７ｂを抜止爪４ｇに係合させた上昇位置にあると、回転ロックリブ７ｈが回転ロック突起４ｈに係合しないことから、従動パルセータ７は主動パルセータ４の回転力を受けることがなく、主動パルセータのみが回転するようになっている。
【００２１】
又、上記従動パルセータ７の羽根７ｆの形状は、図１に示すように主動パルセータ４の羽根４ｄの形状と共に両者間の空間の形状がＶ字型となるように形成されている。これは、両羽根４ｄ及び７ｆ間に洗濯物が詰まるのを防止するためのものである。
【００２２】
又、この羽根７ｆは図に示すように羽根４ｄよりも上方に位置するように形成されているため、水が張られた洗濯槽１内に少量の洗濯物を投入すると、主動パルセータ４よりも上方に位置する従動パルセータ７に先に洗濯物の重みが掛かる。更に、洗濯物を投入すると、従動パルセータ７は、その重みにより、最大距離ｈ１だけ下方に押し下げられる。
【００２３】
これにより、洗濯物の量の大小によって回転ロックリブ７ｈと回転ロック突起４ｈの係合有無が自動的になされる。即ち、洗濯物の量が少ないときには従動パルセータ７の下降が少なくて回転ロックリブ７ｈが回転ロック突起４ｈに係合せず主動パルセータ４のみが回転する。一方洗濯物の量が多いときには、従動パルセータ７が距離ｈ１下降して回転ロックリブ７ｈが回転ロック突起４ｈに係合し、主動パルセータ４の回転に従って従動パルセータ７も回転することとなる。
【００２４】
このとき回転ロックリブ７ｈと回転ロック突起４ｈの係合を両パルセータの円周方向において、一か所にしているため、従動パルセータ７は主動パルセータに応動して回転する際、最大で主動パルセータ４より約１回転弱遅れて回転始動することになる。そして、その後は主動パルセータと同一周期で回転する。この従動パルセータ７の主動パルセータ４に対する時差始動によって洗濯物が両パルセータ間で捻り作用を受け、手もみ洗いの効果となって洗浄力を高めることができる。４ｉは上記段部４ｃより径の内方の位置の円盤部４ｂの盤面上に穿設された水抜孔である。
【００２５】
８は上記係合筒体７の上面開口を閉塞するために係合筒体７の上端に係着されたキャップ体であり、下面に設けた筒部８ａの下端を上記係合子４ｄより下方に垂下させている。この筒部８ａと係合子４ｄの隙間ｗ１は図３に示すように抜止爪４ｇの幅ｗ２より小さく形成されている。これは、係合子４ｄが径の内方に倒れるような変形が生じても筒部８ａに当接して、その変形が阻止され、従動パルセータ７が主動パルセータ４より脱却するのを阻止することができる。
【００２６】
尚、本発明では、上記主動パルセータの外径寸法（直径）を従来の電気洗濯機のパルセータと同様の外径寸法とし、従動パルセータの外径寸法を１／４乃至１／２の範囲に設定することにより各クラスの電気洗濯機に対応した構成としている。
【００２７】
［作用］
本発明は上述のように構成されるものであり、以下その作用について説明する。洗濯槽１内に洗濯物が投入されず、又水が張られていない状態では、従動パルセータ７は、その自重で係合子４ｄに沿って下降している。このような非使用状態において、洗濯をするに当たり、洗濯槽１内に洗濯物（図示せず）を投入した上で、注水を始めると、該水は主動パルセータ４の下方における洗濯槽１の底面より序々に溜まり始め、水位の上昇に従って水の一部が主動パルセータ４の円盤部４ｂの穿孔４ｉ，・・・と、主動パルセータ４と従動パルセータ７の隙間より主動パルセータ４と従動パルセータ７との空間に侵入する。
【００２８】
このとき従動パルセータ７は、上記洗濯物の量が少ないと、注水に従って水の浮力により係合子４ｄに沿って上昇し始める。この従動パルセータ７の浮力は、上記主動パルセータ４と従動パルセータ７との間に侵入した水が図５に示すように中空７ｉとなっている羽根７ｆ内に溜まっている空気を密閉することにより、更に高まり従動パルセータ７は首尾よく上昇する。そして、この洗濯物の少ない状態において、所定の水位まで注水されると、図示しない水位検知器が動作して給水バルブを閉じ、又これに相俟って駆動モータへの通電が開始して該駆動モータを駆動する。
【００２９】
該駆動モータの駆動により、その回転がベルト、プーリーを介して軸受ホルダー２内の減速機構に伝達され駆動軸３を回転させる。このとき、上記従動パルセータ７の上昇により回転ロックリブ７ｈと回転ロック突起４ｈの係合が解除されていることから、上記駆動軸３の回転により主動パルセータ４のみが回転し、弱い水流で洗濯物を撹拌する。
【００３０】
一方、上記洗濯物の量が多いと、従動パルセータ７に対して上記浮力が作用するが、洗濯物の重量で従動パルセータ７が浮力に抗して降下され、回転ロックリブ７ｈが回転ロック突起４ｈに係合する。その結果、上記駆動軸３の回転による主動パルセータ４の回転が回転ロックリブ７ｈと回転ロック突起４ｈを介して従動パルセータ７に伝達され、従動パルセータ７が主動パルセータ４とともに回転し、強い水流で洗濯物を撹拌する。
【００３１】
尚、このとき回転ロック突起４ｈと回転ロックリブ７ｈが夫々主動パルセータ４と従動パルセータ７の円周上の一か所に設けられていることから、両者の係合に伴う従動パルセータ７の回転開始は上記主動パルセータ４の回転開始から最大１回転弱遅延して始まり、この従動パルセータ７の回転開始の時差始動によって、主動パルセータ４と従動パルセータ７との間で洗濯物の捻りが生じ、洗濯物に手もみ洗いの効果を与える。上記穿孔４ｉ，・・・は上述のように注水時に主動パルセータ４と従動パルセータ７との間に水を侵入させる役目をなすが、洗濯槽１の水の排水時には主動パルセータ４と従動パルセータ７間の空間に入ったゴミ、糸屑等を流し出す役目をなす。
【００３２】
【発明の効果】
本発明は上述のように構成されるものであり、請求項１に記載された発明の電気洗濯機のパルセータ装置は、洗濯槽の底面より該洗濯槽内に突出し駆動モータの駆動力を受けて回転する駆動軸と、該駆動軸に中央部で固着された主動パルセータと、この主動パルセータ上に該主動パルセータと同軸で回転できるように支持された従動パルセータとからなり、上記主動パルセータと従動パルセータの間に上記洗濯槽内に投入される洗濯物の重量に応じた洗濯負荷荷重の大小によって上記従動パルセータへの主動パルセータの回転の伝達を制御する回転伝達手段を設けた構造である。
【００３３】
この発明によれば、洗濯物の量が多ければ、回転伝達手段の作用により主動パルセータの回転力が従動パルセータに伝達されて該従動パルセータを主動パルセータとともに回転させて強い水流を作り出し洗濯物を強い力で洗濯する。又洗濯物の量が少なければ、回転伝達手段の作用により従動パルセータへの主動パルセータの回転力の伝達を解除して該主動パルセータのみを回転させ、弱い水流を作り出して洗濯物を弱い力で洗濯する。
【００３４】
更に、従来の電気洗濯機のパルセータ装置で実行されていたパルセータの回転力の制御との組み合わせによって、より多くの強弱の水流を作り出すことができる。従って、洗濯物の種類や量に適した強弱の水流を得ることができるパルセータ装置を提供することができる。
【００３５】
又、請求項２に記載された発明の電気洗濯機のパルセータ装置は、請求項１に記載された電気洗濯機のパルセータ装置において、上記従動パルセータの直径を主動パルセータの１／４乃至１／２に設定した構造である。この発明によれば、従動パルセータの直径を主動パルセータの１／４乃至１／２にしたことから、主動パルセータの単独回転と従動パルセータとの共同回転により、洗濯物の量に応じた水流を作り出すことができ、洗濯物の種類や量に適した強弱の水流を得ることができるパルセータ装置を提供することができる。
【００３６】
又、請求項３に記載された発明の電気洗濯機のパルセータ装置は、請求項１に記載された電気洗濯機のパルセータ装置において、主動パルセータの羽根と従動パルセータの羽根の間の形状を略Ｖ字型にした構造である。この発明によれば、主動パルセータの羽根と従動パルセータの羽根の間に洗濯物が詰まることがなく、洗濯物を傷めることなく洗濯することができる電気洗濯機のパルセータ装置を提供することができる。
【００３７】
又、請求項４に記載された発明の電気洗濯機のパルセータ装置は、洗濯槽の底面より該洗濯槽内に突出し駆動モータの駆動力を受けて回転する駆動軸と、該駆動軸に中央部の嵌合部で固着された主動パルセータと、この主動パルセータ上に該主動パルセータと同軸回転でき、かつ上下動できるように支持された水より比重の小さな材料からなる従動パルセータと、該従動パルセータが下降した位置にあるとき上記主動パルセータの回転を従動パルセータに伝達する回転伝達手段とからなり、上記従動パルセータは上記洗濯槽内に投入される洗濯物の重量に応じた洗濯負荷荷重の大小によって上下動し、洗濯負荷荷重が大きくて下降した位置にあるとき上記回転伝達手段を介して主動パルセータの回転力を受け該主動パルセータとともに回転するようにした構造である。
【００３８】
この発明によれば、洗濯物の量が多ければ、従動パルセータが自動的に下降した位置を取ることから、回転伝達手段の作用により主動パルセータの回転力が従動パルセータに伝達されて該従動パルセータを主動パルセータとともに回転させて強い水流を作り出し洗濯物を強い力で洗濯する。
【００３９】
又洗濯物の量が少なければ、従動パルセータが自動的に上昇した位置を取ることから、回転伝達手段の作用により従動パルセータへの主動パルセータの回転力の伝達を解除して該主動パルセータのみを回転させ、弱い水流を作り出して洗濯物を弱い力で洗濯する。
【００４０】
更に、従来の電気洗濯機のパルセータ装置で実行されていたパルセータの回転力の制御との組み合わせによって、より多くの強弱の水流を作り出すことができる。従って、洗濯物の種類や量に適した強弱の水流を得ることができるパルセータ装置を提供することができる。
【００４１】
又、請求項５に記載された発明の電気洗濯機のパルセータ装置は、洗濯槽の底面より該洗濯槽内に突出し駆動モータの駆動力を受けて回転する駆動軸と、該駆動軸に中央部の嵌合部で固着された主動パルセータと、この主動パルセータ上に該主動パルセータと同軸回転でき、かつ上下動できるように支持された従動パルセータと、該従動パルセータが下降した位置にあるとき上記主動パルセータの回転を従動パルセータに伝達する回転伝達手段とからなり、上記従動パルセータは空気を溜める空間を備えて上記洗濯槽内に投入される洗濯物の重量に応じた洗濯負荷荷重の大小によって上下動し、洗濯負荷荷重が大きくて下降した位置にあるとき上記回転伝達手段を介して主動パルセータの回転力を受け該主動パルセータとともに回転するようにした構造である。
【００４２】
この発明によれば、洗濯物の量が多ければ、従動パルセータが空間ぬ溜められた空気に抗して自動的に下降した位置を取ることから、回転伝達手段の作用により主動パルセータの回転力が従動パルセータに伝達されて該従動パルセータを主動パルセータとともに回転させて強い水流を作り出し洗濯物を強い力で洗濯する。
【００４３】
又洗濯物の量が少なければ、従動パルセータが空間の溜められた空気により自動的に上昇した位置を取ることから、回転伝達手段の作用により従動パルセータへの主動パルセータの回転力の伝達を解除して該主動パルセータのみを回転させ、弱い水流を作り出して洗濯物を弱い力で洗濯する。
【００４４】
更に、従来の電気洗濯機のパルセータ装置で実行されていたパルセータの回転力の制御との組み合わせによって、より多くの強弱の水流を作り出すことができる。従って、洗濯物の種類や量に適した強弱の水流を得ることができるパルセータ装置を提供することができる。
【図面の簡単な説明】
【図１】本発明に係るパルセータ装置の実施態様を備えた電気洗濯機の要部を示す平面図である。
【図２】図１を矢印Ａ１−Ａ２で示す線で切断して視た断面図である。
【図３】本発明に係る電気洗濯機のパルセータ装置の主動パルセータの係合子と従動パルセータの係合筒体の関係を拡大して示す図である。
【図４】本発明に係る電気洗濯機のパルセータ装置の主動パルセータの回転ロック突起と従動パルセータの回転ロックリブの関係を拡大して示す図である。
【図５】従動パルセータの羽根部の拡大断面図である。
【図６】従来の電気洗濯機のパルセータ装置を示す図である。
【符号の説明】
１    洗濯槽
３    駆動軸
４    主動パルセータ
４ｄ  羽根
４ｆ  係合子
７    従動パルセータ
７ａ  係合筒体
７ｆ  羽根
【図１】
0003629865.tif 000002
【図２】
0003629865.tif 000003
【図３】
0003629865.tif 000004
【図４】
0003629865.tif 000005
【図５】
0003629865.tif 000006
【図６】
0003629865.tif 000007